(57)【特許請求の範囲】
【請求項１】
糸支持体（６）に、軸芯方向に沿って間隔を置いて釣り糸を支持する複数の糸支持部（６Ｄ）を備えるとともに、前記糸支持体（６）の外面を竿体（１）の内面より離間させた状態でその糸支持体（６）を支持する複数の保持体（９）を軸芯方向に沿って間隔を置いて設け、前記糸支持部（６Ｄ）の糸支持ピッチ（Ｐ２）を前記保持体（９）の保持ピッチ（Ｐ１）より小さくし、
前記糸支持体（６）が螺旋体（６Ａ）であり、前記糸支持ピッチ（Ｐ２）が前記螺旋体（６Ａ）のピッチである
中通し竿。
【請求項２】
竿内空間に竿長さ方向に長い糸支持体（６）を位置させるとともに、糸支持体（６）を、糸を支持する複数個の糸支持部（６Ｄ）と隣接する糸支持部（６Ｄ）同士を連結する連結部（６Ｅ）とで形成し、前記糸支持部（６Ｄ）のうちの一部に作用して糸支持体（６）と竿内面との間隙を設定する複数個の保持体（９）を設け、前記隣接する保持体（９）の間隔を、前記隣接する保持体（９）間に位置する隣接糸支持部同士の間隔より大に設定し、
前記糸支持体（６）が螺旋体（６Ａ）であり、前記糸支持ピッチ（Ｐ２）が前記螺旋体（６Ａ）のピッチである
中通し竿。
【請求項３】
前記保持体（９）が、前記竿体（１）の大径側部分に位置している請求項１記載の中通し竿。
【請求項４】
前記保持体（９）が、前記竿体（１）の大径側部分と小径側部分との少なくとも二箇所に位置している請求項２記載の中通し竿。
【請求項５】
竿内空間に竿長さ方向に長い糸支持体（６）を位置させるとともに、糸支持体（６）を、糸を支持する複数個の糸支持部（６Ｄ）と隣接する糸支持部（６Ｄ）同士を連結する連結部（６Ｅ）とで形成し、前記糸支持部（６Ｄ）のうちの一部に作用して糸支持体（６）と竿内面との間隙を設定する複数個の保持体（９）を設け、前記隣接する保持体（９）の間隔を、前記隣接する保持体（９）間に位置する隣接糸支持部同士の間隔より大に設定し、
前記糸支持体（６）がリング状の糸支持部（６Ｄ）とその糸支持部（６Ｄ）を繋ぐ連結ロッド部（６Ｅ）で構成してある中通し竿。
【請求項６】
前記保持体（９）に水を通過させる前後貫通孔（９ｂ）を形成してある請求項１又は２に記載の中通し竿。
【請求項７】
前記糸支持体（６）の前端部を竿体（１）の内面で、かつ、前記糸支持体（６）の後端部を保持体（９）で各々保持して、前記糸支持体（６）の前記前端部より後方部分を前記竿体（１）の内面より離間させて構成してある請求項１又は２に記載の中通し竿。
【発明の詳細な説明】
【０００１】
【産業上の利用分野】
本発明は中通し竿に関する。
【０００２】
【従来の技術】
中通し竿においては、竿体の内部に形成された経路に糸を通して、しかけの繰り出し及び巻上げを行うので、経路壁面と糸との接触により糸の動きに抵抗が働く。特に、その経路内に水等が溜まっている場合糸が水等に接触し、その摺動抵抗は大きくなり、しかけの繰り出し時及び巻き上げ時の操作性を低下させていた。
このような糸の摺動抵抗を小さくするために、竿体内部の経路に螺旋状の糸支持体を装着し、その螺旋状糸支持体の内面における上向き部分を、糸支持部としたものが知られている（例えば、特開平１−３０４８３６号公報）。
【０００３】
【発明が解決しようとする課題】
しかしながら、上記従来構成のように螺旋体を糸支持体とするものにおいては、糸支持体を竿の内部経路に装入する必要があるからコイル径が決まり、このコイル径の制約を受けて素線径を大きくするにも限度があり、結局は素線径を大きく採ることはできず、螺旋体の内面と竿体の内面との間隔を大きくは採れなかった。
したがって、螺旋の内面に支持された状態であっても、隣接する糸支持部の間に位置する糸は、緊張力が作用しない状態ではたるみを生じたり、或いは、糸の巻上げ時等においても竿の曲がりによって内面に近接するので、竿の内面に付着した水等に接触することもあり、糸の繰り出し等を迅速に行えないことがあった。
本発明の目的は、糸と竿内面に付着した水等との接触を極力回避して、糸の繰り出し等を迅速に行い得る中通し竿を提供する点にある。
【０００４】
【課題を解決するための手段】
本発明の中通し竿の特徴構成は、糸支持体（６）に、軸芯方向に沿って間隔を置いて釣り糸を支持する複数の糸支持部（６Ｄ）を備えるとともに、前記糸支持体（６）の外面を竿体（１）の内面より離間させた状態でその糸支持体（６）を支持する複数の保持体（９）を軸芯方向に沿って間隔を置いて設け、前記糸支持部（６Ｄ）の糸支持ピッチ（Ｐ２）を前記保持体（９）の保持ピッチ（Ｐ１）より小さくし、
前記糸支持体（６）が螺旋体（６Ａ）であり、前記糸支持ピッチ（Ｐ２）が前記螺旋体（６Ａ）のピッチである点にあり、その作用効果は次の通りである。
【０００５】
【作用】
つまり、糸支持体を竿体内面より離間させた状態で保持体により保持することによって、糸支持部を竿体内面より離間させ、それによって、糸支持部で支持する糸を竿体内面より離間させることができる。これによって、糸を竿体の内面に付着した水等との接触する機会を回避できる。さらに、糸支持ピッチを保持ピッチより小さくしてあるので、隣接する糸支持部の間に位置する糸であっても、たるみ量を抑えて、竿体内面から離間させた状態に維持できる。
上記のような作用によって、隣接する糸支持部間に位置する糸にたいしても、糸支持部と保持体の設置ピッチに工夫を凝らすことによって、水等との接触する機会を回避できて、糸の繰り出し時等の摺動抵抗を低減できるに至った。
さらに、糸支持部が連続した一連の螺旋体内に形成されているので、複数の糸支持部を一体として扱うことができ、保持体で支持するについても容易である。また、糸支持体を竿体内に装入するにも複数の糸支持部が一連のものとして一体であるので、容易に行える効果もある。
【０００６】
【発明の効果】
上記のような作用によって、隣接する糸支持部間に位置する糸にたいしても、糸支持ピッチを保持ピッチより小さくした構成によって、水等との接触する機会を少なくできて、糸の繰り出し時等の摺動抵抗を低減できるに至った。
【０００８】
〔その他の目的・構成・作用・効果〕
(1)   請求項２における発明の目的は、請求項１の発明の目的と同一であり、この為に採られた構成は、竿内空間に竿長さ方向に長い糸支持体を位置させるとともに、前記糸支持体を、糸を支持する複数個の糸支持部と隣接する前記糸支持部同士を連結する連結部とで形成し、前記糸支持部のうちの一部に作用して糸支持体を竿内面との間隙を設定する複数個の保持体を設け、前記隣接する保持体の間隔を、前記隣接する保持体間に位置する隣接糸支持部同士の間隔より大に設定してある点にあり、その作用効果は次の通りである。
つまり、複数個の保持体が糸支持部の一部に作用して糸支持体を保持するので、糸支持体は竿体の内面より離間した状態となり、糸支持部で支持される糸も離間した状態となる。そして、隣接する保持体の間隔を隣接する糸支持部の間隔より大きくしてあるので、隣接する糸支持部の間隔よりたるむ糸のたるみ具合を少なくでき、それだけ糸と竿内面の水等との接触を回避でき、糸の繰り出し等を円滑に行える。
【０００９】
(2)   請求項３における発明の目的は、内部の径として大径化できない穂先においても保持機能を発揮させる保持体の配置構造を提供する点にあり、この為に採られた構成は、請求項１の構成において、前記保持体が、前記竿体の大径側部分に位置している点にあり、その作用効果は次の通りである。つまり、装入し易い大径側部分に保持体を装入することによって、糸支持体を竿体の内面より離間させた状態を維持して、糸の摺動抵抗を低減できるとともに、保持体の装入も容易に行えるので、組付けも楽に行える。
【００１０】
(3)   請求項４における発明は、請求項２の構成において、前記保持体が、前記竿体の大径側部分と小径側部分との少なくとも二箇所に位置している点にあり、その目的、作用、効果は請求項４と基本的には同様であるが、さらに、二箇所以上で支持する構造を採るので、糸支持体を適性なスパンで支持でき、穂先竿であっても、後端側だけでなく先端側においても糸支持体の装入が可能な比較的大径竿の穂先構造に採用できる。
【００１３】
(4)  請求項５における発明の目的は、糸支持体として装入位置決めを容易行えるようにする点にある。
この為に採られた構成は、竿内空間に竿長さ方向に長い糸支持体（６）を位置させるとともに、糸支持体（６）を、糸を支持する複数個の糸支持部（６Ｄ）と隣接する糸支持部（６Ｄ）同士を連結する連結部（６Ｅ）とで形成し、前記糸支持部（６Ｄ）のうちの一部に作用して糸支持体（６）と竿内面との間隙を設定する複数個の保持体（９）を設け、前記隣接する保持体（９）の間隔を、前記隣接する保持体（９）間に位置する隣接糸支持部同士の間隔より大に設定し、前記糸支持体（６）がリング状の糸支持部（６Ｄ）とその糸支持部（６Ｄ）を繋ぐ連結ロッド部（６Ｅ）で構成してある点にあり、その作用効果は次の通りである。
つまり、糸支持部がリング状で独立したものでありながら、連結ロッド部で連結されているので、複数の糸支持部を竿体内に装入する際に一体で取り扱うことができ、作業性が良好であるとともに、糸支持部の設置位置の位置決め及び糸支持ピッチの設定を任意に設定することができる。
【００１４】
(5)  請求項６における発明の目的は、竿内に持ち込まれた水の移動を可能にして竿外に排出し易い構造を提供する点にある。この為に採られた構成は、請求項１又は２の構成において、前記保持体に水を通過させる前後貫通孔を形成してある点にあり、その作用効果は次の通りである。
つまり、竿内に持ち込まれた水は前後貫通孔を介して竿の先端側等の排出可能な位置まで移動することができ、竿内で溜まることを抑制できる。
【００１５】
(6)   請求項７における発明の目的は、穂先構造に適した糸支持体の保持構造を提供する点にあり、この為に採られた構成は、前記糸支持体の前端部を竿体の内面で、かつ、前記糸支持体の後端部を保持体で各々保持して、前記糸支持体の前記前端部より後方部分を前記竿体の内面より離間させている点にあり、その作用効果は次の通りである。
つまり、保持体を装入することが困難な前端部においては、竿の内面を保持体に兼用するとともに、比較的前端部より大径の後端部においては保持体を装着して糸支持体を竿体内面より離間させて、糸と竿体内面との接触を阻止するようにしてある。
【００１６】
【実施例】
〔第１実施例〕
竿体として、ルアーロッド１を使用した実施例について説明する。図１に示すように、ルアーロッド１を、穂先側に位置する第１竿部２と、第１竿部２より元竿側に位置する第２竿部３とを並継ぎ式に連結して構成し、第２竿部３においては、前端部に糸導入部３Ｄとして形成された幅広部分にリール４からの糸を挿入する糸導入孔３Ａとその後方にリールシート３Ｂ及び握り部３Ｃを有し、第２竿部３においては、前記糸導入孔３Ａより先端開口２Ａへ通ずる糸挿通用の内部経路ｂとを備え、この内部経路ｂに、第１竿部２の後端開口２Ｂより糸挿通経路ａを形成する内装体５を装入するようにしてある。
【００１７】
次に、幅広に形成された糸導入部３Ｄについて説明する。この糸導入部３Ｄは、第１竿部２の後端に対して並継ぎ状に連結解除可能であり、第１竿部２の後端よりも幅広状態に形成されている。この糸導入部３Ｄの前後中間位置には、前後方向に長い長孔状の糸導入孔３Ａを形成するとともに、糸導入部３Ｄの内部に内部空間を形成してあり、糸導入孔３Ａより前方位置に、前記内部経路ｂに通じる経路を形成してある。この経路の後端は、糸導入孔３Ａの前端より内部空間に入り込み糸導入孔３Ａの外方より視認できる。この空間ｂの後端と糸導入孔３Ａとの間に形成された内部空間を、糸導入孔３Ａより導入された糸を空間ｂの後端（糸挿通用の内部空間）に導く連通空間ｃとする。
【００１８】
内外貫通孔３Ｅは、糸導入部３Ｄの下面に形成され、糸導入孔３Ａと略１８０°対称位置にあり、その形状は、前後方向に沿った長孔状であり、前後長及び幅共に糸導入孔３Ａより小さい。そして、この糸挿通経路ａに入り込んだゴミ等は糸に付着して連通空間ｃまで運ばれ、その連通空間ｃで落下した際には、内外貫通孔３Ｅを通して排出できるように構成し、リール４に巻き取られる糸に付着するゴミ等を少なくする。
内装体５について説明する。図１、図３に示すように、内装体５は、第１竿部２の後半部に設けられ、次のような構成を採る。つまり、糸支持体６を装備する筒状部５Ａと、この筒状部５Ａより片持ち状に後方に向けて延出された連結ロッド部５Ｂとからなるものを一ユニットとして、複数のユニットを図示するように接着連結し一本の竿体に相当する長さのものを形成する。筒状部５Ａにおいては、中心位置に糸支持体６を挿入載置する貫通孔５ａを形成するとともに、この貫通孔５ａの軸芯位置より上方に偏位した位置より前記した連結ロッド部５Ｂが延出される。この連結ロッド部５Ｂが上方にあるので、竿内に持ち込まれた水がこの連結ロッド部５Ｂの影響を受けずに流れることができようになっている。この構成に加えて、筒状部５Ａに前後貫通孔５ｂを形成することによって、竿内に持ち込まれた水を、水抜き用の内外貫通孔３Ｅまで導き、この内外貫通孔３Ｅを介して外部に排出できる。この連結ロッド部５Ｂは筒状壁の大部分を取り去ったもので、略三月状の断面を呈する。内装体５は、強化繊維を含まない熱可塑性の樹脂を使用するが、ゴム等も使用可能であり、竿体１に比べて可撓性のある材料で形成してある。上記した熱可塑性樹脂としては、ポリエチレン、ポリプロピレン、ナイロン、ＡＢＳ等が使用でき、はっ水性が高いものであれば特によい。
一方、この筒状部５Ａに収納される糸支持体６は、図２に示すように、ブロック状体の前面に糸挿通用小径孔６ａを形成し、この糸挿通用小径孔６ａの開口より後方に向けて徐々に広がるテーパ状の糸誘導面６ｂを設けてリング状に形成してある。糸支持体６の材質としては、セラミック、サーメット（焼結材）等の硬質材が使用されるが、樹脂等の可撓性材料であってもよい。この糸支持体６を、図３に示すように、筒状部５Ａの貫通孔５ａ内に載置し、さらに前方に位置する連結ロッド部５Ｂの後端を貫通孔５ａ内に差し込んで糸支持体６に接当させ、糸支持体６の位置決めを行った状態で、連結ロッド部５Ｂと筒状部５Ａとを接着固定して、内装体５に糸支持体６を組み込みながら内装体５自体を組み上げていく。このように複数のユニットが連結されて内装体５が形成されると、糸挿通用小径孔６ａ及び糸誘導面６ｂ、さらには、連結ロッド部５Ｂの軸芯相当位置に糸挿通経路ａが形成される。各ユニットの連結固定構造としては、嵌め込み、ボルト止め等各種固定構造が使用できる。
【００１９】
尚、図２に示すように、第１竿部２の前端にはトップガイド７を装着し、このトップガイド７には、先端に糸案内用のリング８を装着するとともに、このリング８の後方に水抜き孔７Ａ，７Ａを形成してある。
【００２０】
次に、第１竿部２における穂先構造について説明する。図２に示すように、前記した内装体５の前方側には、糸支持体６とこの糸支持体６を保持する保持体９とを内装してある。糸支持体６は、竿の軸芯に沿った長尺状の螺旋体６Ａであり、この螺旋体６Ａ下側内面を実質的に糸を支持する糸支持部６ａとする。これによって、糸支持部６ａを螺旋体６Ａのピッチで配置することができる。
一方、螺旋体６Ａの軸芯に沿って複数の保持体９を設け、この複数の保持体９で糸支持体６を保持するようにしてある。保持体９は、円筒状であり、中心位置の貫通孔９Ａで糸支持体６を保持する。これら保持体９は、所定のピッチＰ１で配置され、糸支持部６ａの糸支持ピッチＰ２より大きなピッチに設定されている。これによって、糸支持ピッチＰ２を細かくできて糸が隣接する糸支持部６ａの間からこぼれでて、竿の内面に接触したり水と接触することを回避できる。
保持体９と糸支持体６の他の構成については、別実施例の項で述べる。
【００２２】
〔別実施例〕
Ａ．本発明の構成における保持体９を次のように構成してもよい。
(1) 図４に示すように、単なる円筒状のものであってもよい。
(2) 図５に示すように、円筒状のものを基本にして、その外周面より二つの係合部９ａ，９ａを突設している。この係合部９ａ，９ａは図示してないが、第１竿部２の内面に係合部９ａ，９ａを係合する係合凹溝を第１竿部２の軸芯方向に沿って設けて、保持体９を第１竿部２の軸芯方向に移動させ、所定位置で係合部９ａ，９ａの外端と係合凹溝の底面とが嵌合して保持体９を位置固定できるようにしてある。
(3) 図６に示すように、一方の係合部９ａを凹入部９ｂに形成してもよい。そうすると、凹入部９ｂで水を移動させる経路を形成できる。
(4) 図７に示すように、ブロック状の本体軸芯位置に、糸支持体６を挿通するための挿通孔９ｄを形成するとともに、この挿通孔９ｄの一方の開口部に誘導傾斜面９ｅを設けてある。
Ｂ．本発明の構成における糸支持体６を次のように構成してもよい。
(1) 糸支持部６Ｄを次のようにしてもよい。
ａ． 図８に示すように、上記したリング状の糸支持部６Ｄと連結ロッド部６Ｅとを、一本の棒状素材より形成するものでもよい。
ｂ． 図９に示すように、上記構成において、糸支持部６Ｄを複数巻きのリングで構成してもよい。
ｃ． 図１０に示すように、糸支持部６Ｄのリング形状としては、必ずしも閉ループを形成する必要はなく、連結ロッド部６Ｅの連結位置で開く開ループ状にしてもよい。
(2) 連結ロッド部６Ｅとしては次のようにしてもよい。
ａ． 図１１に示すように、周方向における３箇所に配置してもよい。
ｂ． 図１２に示すように、左右二箇所に配置してもよい。
(3) 糸支持体６の全体構成としては、次のようなものでもよい。
ａ． 図示してないが、樹脂の繊維等を網目状に編み上げたものを使用してもよい。
Ｃ その他の別実施構造について説明する。
(1) 図１３に示すように、複数個の小径リング体と大径リング体とを同一軸芯上に隣接した状態でかつ交互に配置し、これらのリング体を連結ロッドで連結して一体化してもよい。このものにおいては、小径リング体は内部に糸を挿通させる糸支持部６Ｄを形成し、大径リング体は第１竿部２の内周面に接触する保持体９を形成する。
(２) 上記した全ての実施例は、穂先竿以外の中間竿等にも使用できる。
【００２３】
尚、特許請求の範囲の項に図面との対照を便利にするために符号を記すが、該記入により本発明は添付図面の構成に限定されるものではない。
【図面の簡単な説明】
【図１】糸支持体、保持体、内装体を装着する前の状態を示す平面図
【図２】糸支持体と保持体との竿内への装入状態を示す縦断側面図
【図３】内装体の装着状態を示す縦断側面図
【図４】保持体の縦断正面図
【図５】図４に対応する別実施構造を示す縦断側面図
【図６】図４に対応する別実施構造を示す縦断側面図
【図７】図４に対応する別実施構造を示す縦断側面図
【図８】糸支持体の別実施構造を示す斜視図
【図９】糸支持体の別実施構造を示す斜視図
【図１０】糸支持体の別実施構造を示す斜視図
【図１１】糸支持体の別実施構造を示す斜視図
【図１２】糸支持体の別実施構造を示す斜視図
【図１３】糸支持体と保持体とを連結ロッド部で一体化したものを示す斜視図
【符号の説明】
１  …竿体
６  …糸支持体
６Ａ…螺旋体
６Ｂ…薄肉筒体
６Ｄ…糸支持部
６Ｅ…連結部
９  …保持体
Ｐ１…保持ピッチ
Ｐ２…糸支持ピッチ
【図１】
0003590094.tif 000002
【図２】
0003590094.tif 000003
【図３】
0003590094.tif 000004
【図４】
0003590094.tif 000005
【図５】
0003590094.tif 000006
【図６】
0003590094.tif 000007
【図７】
0003590094.tif 000008
【図８】
0003590094.tif 000009
【図９】
0003590094.tif 000010
【図１０】
0003590094.tif 000011
【図１１】
0003590094.tif 000012
【図１２】
0003590094.tif 000013
【図１３】
0003590094.tif 000014